(57)【要約】【課題】ヘッドライトと補助灯の照明切り換えシステムを提供する。【解決手段】  本発明は、ヘッドライトと補助灯の照明切り換えシステムに関し、ヘッドライトユニットと補助灯ユニットから構成され、切換照明システムは、ウィンカー制御端の制御により、交通手段がカーブに差しかかる前に、ヘッドライトユニットの斜側ランプ、または補助灯ユニットのランプを同時に起動して、斜側ランプの光源が、まず、ターンする領域を照らすようにして、運転者の視野を拡大し、運転者に道路状況を確実に把握させ、さらに、後方の運転者に警告する用途もあり、且つ、ウィンカー制御端の制御により、補助灯ユニットの二個のランプを同時に起動して、交通手段の右側と左側を照らす効果を達成し、運転者の視野を拡大し、夜間の山中での運転の安全性を強化する。【選択図】図１
2017019472.tif 000002
【特許請求の範囲】
【請求項１】
ヘッドライトと補助灯の照明切り換えシステムであって、
主ランプベース、近ランプ、遠ランプ、斜側ランプからなり、前記ヘッドライトユニットの主ランプベース数量は二個であり、二個の主ランプベースは、それぞれ、交通手段のバンパー両側に装着され、且つ、前記主ランプベース内は、それぞれ、近ランプおよび遠ランプを装着し、前記近ランプおよび前記遠ランプは、上下対称に、前記主ランプベース内に装着され、前記近ランプおよび前記遠ランプは、交通手段のウィンカー制御端と連接され、且つ、前記主ランプベース内の左、右両端は、それぞれ、斜側ランプを設置して、前記主ランプベース内に四個の電球を形成し、二個の斜側ランプは、それぞれ、左、右両側に外に傾斜して設置され、前記斜側ランプは、交通手段のウィンカー制御端と連接され、さらに、ウィンカー制御端と前記補助灯ユニットの二個のランプが連接し、
補助灯は、補助ベースとランプからなり、前記補助ベースの数量は２個で、二個の補助ベースは、それぞれ、交通手段車体の左、右両側に設置され、且つ、二個の補助ベースが、それぞれ、左、右方向に設置され、前記補助ベース内にランプを設置することを特徴とするヘッドライトと補助灯の照明切り換えシステム。
【請求項２】
前記補助灯ユニットのランプは、補助近ランプおよび補助遠ランプに分設され、前記補助遠ランプは、前記補助近ランプの後方に設置され、且つ、前記補助遠ランプは、斜後側方向に傾斜して設置されることを特徴とする請求項１に記載のヘッドライトと補助灯の照明切り換えシステム。
【請求項３】
ヘッドライトと補助灯の照明切り換えシステムであって、
ヘッドライトユニットは、主ランプベース、近ランプ、遠ランプ、斜側ランプからなり、前記ヘッドライトユニットの主ランプベース数量は二個であり、二個の主ランプベースは、それぞれ、交通手段のバンパー両側に装着され、且つ、前記主ランプベース内は、それぞれ、近ランプおよび遠ランプを装着し、前記近ランプと前記遠ランプが結合されて、主投射ランプになり、前記主投射ランプ横に、単一個の斜側ランプを設置して、前記主ランプベース内に二個の電球を形成し、且つ、交通手段右側に装着される主ランプベース内の斜側ランプは、右側方向に傾斜して設置され、交通手段左側に装着される主ランプベース内の斜側ランプは、左側方向に傾斜して設置され、前記斜側ランプは、さらに、交通手段のウィンカー制御端と連接され、さらに、ウィンカー制御端と前記補助灯ユニットの二個のランプが連接し、
補助灯ユニットは、補助ベースとランプからなり、前記補助ベースの数量は２個であり、二個の補助ベースは、それぞれ、交通手段車体の左、右両側に設置され、且つ、二個の補助ベースは、それぞれ、左、右方向に設置され、前記補助ベース内にランプを設置することを特徴とするヘッドライトと補助灯の照明切り換えシステム。
【請求項４】
前記単個の斜側ランプは、前記主投射ランプ下方に対応し、前記斜側ランプ内に、斜側近ランプ、および、斜側遠ランプを有し、前記斜側近ランプ、および、前記斜側遠ランプは、左右両側に対応することを特徴とする請求項３に記載のヘッドライトと補助灯の照明切り換えシステム。
【請求項５】
前記補助灯ユニットのランプは、補助近ランプ、および、補助遠ランプに分設され、前記補助遠ランプは前記補助近ランプの後方に設置され、且つ、前記補助遠ランプは、斜後側方向に傾斜して設置されることを特徴とする請求項３に記載のヘッドライトと補助灯の照明切り換えシステム。
【発明の詳細な説明】
【技術分野】
【０００１】
本発明は、ヘッドライトと補助灯の照明切り換えシステムに関するものであり、さらに詳しくは、照明角度を変化させることにより、照明範囲を拡大することができる照明切り換えシステムに関するものである。
【背景技術】
【０００２】
従来の自動転向ランプベース機構は、一端に減速機を設け、減速機一端が軸心を有するモーターと、傘状ギアで、モーターの軸心と連接される駆動ギアと、底端が傘型回転盤ギアを連接し、ギアと駆動ギアが合する回転盤と、駆動ギアおよび回転盤ギア裝置を提供するギアボックスと、それぞれ、ギアボックス正面及び側面に位置し、車両光度変換と同時に、ランプ電源を自動でオンにする二つの光源感知ユニットと、駆動ギア一側に位置し、その一端がタッチバーを有し、もう一端がスイッチを有するインチングスイッチと、駆動ギア一側に位置し、回転盤の回転角度を制限する角度制限棒と、回転盤上方に装着されるランプと、からなり、上述の素子により構成される転向機構は、運転者が車両を転向させるとき、転向方向に伴って自動照明する。
【０００３】
上述の自動転向ランプベース機構において、この構造の技術は、車両のカーブ時の横側の照明問題を解決することができるが、車両がカーブまたは転向する前、そのランプは、カーブまたは転向する領域を予め照明することはできず、運転者が道路状況を把握できないので、危険であり、且つ、その構造設計較は複雑で、製造コストが高くなり、実用性にも影響する。
【発明の概要】
【発明が解決しようとする課題】
【０００４】
従って、本発明の課題は、ヘッドライトと補助灯の照明切り換えシステムを提供し、上述の問題を改善することにある。
【課題を解決するための手段】
【０００５】
そこで、本発明者らは、前記の本発明の課題を解決するため鋭意検討を重ねた結果、ヘッドライトと補助灯との照明切り換えシステムにおいて、ヘッドライトユニットと補助灯ユニットから構成され、ヘッドライトユニットは、主ランプベース、近ランプ、遠ランプ、斜側ランプからなり、ウィンカー制御端の制御により、交通手段がカーブに差し掛かる前に、ヘッドライトユニットの斜側ランプ、または補助灯ユニットのランプを同時に起動して、斜側ランプの光源が、まず、ターンする領域を照らすようにして、運転者の視野を拡大し、運転者に道路状況を確実に把握させ、さらに、後方の運転者に警告する用途もあり、且つ、ウィンカー制御端の制御により、補助灯ユニットの二個のランプを同時に起動して、交通手段の右側と左側を照らす効果を達成し、運転者の視野を拡大し、夜間の山中での運転の安全性を強化できるヘッドライトと補助灯との照明切り換えシステムに着目し、かかる知見に基いて本発明に想到するに至った。
【０００６】
かくして、請求項１に係る発明によれば、
ヘッドライトと補助灯の照明切り換えシステムであって、
主ランプベース、近ランプ、遠ランプ、斜側ランプからなり、前記ヘッドライトユニットの主ランプベース数量は二個であり、二個の主ランプベースは、それぞれ、交通手段のバンパー両側に装着され、且つ、前記主ランプベース内は、それぞれ、近ランプおよび遠ランプを装着し、前記近ランプおよび前記遠ランプは、上下対称に、前記主ランプベース内に装着され、前記近ランプおよび前記遠ランプは、交通手段のウィンカー制御端と連接され、且つ、前記主ランプベース内の左、右両端は、それぞれ、斜側ランプを設置して、前記主ランプベース内に四個の電球を形成し、二個の斜側ランプは、それぞれ、左、右両側に外に傾斜して設置され、前記斜側ランプは、交通手段のウィンカー制御端と連接され、さらに、ウィンカー制御端と前記補助灯ユニットの二個のランプが連接し、
補助灯は、補助ベースとランプからなり、前記補助ベースの数量は２個で、二個の補助ベースは、それぞれ、交通手段車体の左、右両側に設置され、且つ、二個の補助ベースが、それぞれ、左、右方向に設置され、前記補助ベース内にランプを設置することを特徴とするヘッドライトと補助灯の照明切り換えシステムが提供される。
【０００７】
請求項２に係る発明によれば、
前記補助灯ユニットのランプは、補助近ランプおよび補助遠ランプに分設され、前記補助遠ランプは、前記補助近ランプの後方に設置され、且つ、前記補助遠ランプは、斜後側方向に傾斜して設置されることを特徴とする請求項１に記載のヘッドライトと補助灯の照明切り換えシステムが提供される。
【０００８】
請求項３に係る発明によれば、
ヘッドライトと補助灯の照明切り換えシステムであって、
ヘッドライトユニットは、主ランプベース、近ランプ、遠ランプ、斜側ランプからなり、前記ヘッドライトユニットの主ランプベース数量は二個であり、二個の主ランプベースは、それぞれ、交通手段のバンパー両側に装着され、且つ、前記主ランプベース内は、それぞれ、近ランプおよび遠ランプを装着し、前記近ランプと前記遠ランプが結合されて、主投射ランプになり、前記主投射ランプ横に、単一個の斜側ランプを設置して、前記主ランプベース内に二個の電球を形成し、且つ、交通手段右側に装着される主ランプベース内の斜側ランプは、右側方向に傾斜して設置され、交通手段左側に装着される主ランプベース内の斜側ランプは、左側方向に傾斜して設置され、前記斜側ランプは、さらに、交通手段のウィンカー制御端と連接され、さらに、ウィンカー制御端と前記補助灯ユニットの二個のランプが連接し、
補助灯ユニットは、補助ベースとランプからなり、前記補助ベースの数量は２個であり、二個の補助ベースは、それぞれ、交通手段車体の左、右両側に設置され、且つ、二個の補助ベースは、それぞれ、左、右方向に設置され、前記補助ベース内にランプを設置することを特徴とするヘッドライトと補助灯の照明切り換えシステムが提供される。
【０００９】
請求項４に係る発明によれば、
前記単個の斜側ランプは、前記主投射ランプ下方に対応し、前記斜側ランプ内に、斜側近ランプ、および、斜側遠ランプを有し、前記斜側近ランプ、および、前記斜側遠ランプは、左右両側に対応することを特徴とする請求項３に記載のヘッドライトと補助灯の照明切り換えシステムが提供される。
【００１０】
請求項５に係る発明によれば、
前記補助灯ユニットのランプは、補助近ランプ、および、補助遠ランプに分設され、前記補助遠ランプは前記補助近ランプの後方に設置され、且つ、前記補助遠ランプは、斜後側方向に傾斜して設置されることを特徴とする請求項３に記載のヘッドライトと補助灯の照明切り換えシステムが提供される。
【発明の効果】
【００１１】
本発明により、本発明ヘッドライトと補助灯の照明切り換えシステムの長所は、構造が、ウィンカー制御端の制御により、交通手段がカーブに差し掛かる前に、ヘッドライトユニットの斜側ランプ、または補助灯ユニットのランプを同時に起動して、斜側ランプの光源が、まず、ターンする領域を照らすようにして、運転者の視野を拡大し、運転者に道路状況を確実に把握させ、さらに、後方の運転者に警告する用途もあり、且つ、ウィンカー制御端の制御により、補助灯ユニットの二個のランプを同時に起動して、交通手段の右側と左側に照明を照らす効果を達成し、運転者の視野を拡大し、夜間の山中での運転の安全性を強化することであり、このような構造により、運転の安全性を高めている。
【図面の簡単な説明】
【００１２】
【図１】本発明によるヘッドライトと補助灯の照明切り換えシステムの平面図である。
【図２】本発明によるヘッドライトユニットの平面図である。
【図３】本発明によるヘッドライトユニットのもうひとつの視角の断面図である。
【図４】本発明によるヘッドライトユニットの照明作動図である。
【図５】本発明によるヘッドライトユニット、および、補助灯ユニット照明前方、右側、および、左側道路の作動図である。
【図６】本発明による斜側ランプの車側斜前方領域の照明の作動図である。
【図７】本発明によるヘッドライトユニット、および、補助灯ユニットが、予め右側道路を照明する作動図である。
【図８】本発明による主ランプベース内に二個の電球が設置された平面図である。
【図９】本発明による斜側ランプの断面図である。
【図１０】本発明による斜側近ランプ、および、斜側遠ランプが、車右側斜前方領域、および、車両前方領域を照明する作動図である。
【図１１】本発明による斜側近ランプが照明する作動図である。
【図１２】本発明による斜側遠ランプが照明する作動図である。
【図１３】本発明によるランプが補助近ランプ、および、補助遠ランプを分設する断面図である。
【図１３ａ】本発明によるランプが補助近ランプ、および、補助遠ランプを分設する拡大断面図である。
【図１４】本発明による補助近ランプ、および、補助遠ランプが、車右側領域、および、車右後方領域を照明する作動図である。
【発明を実施するための形態】
【００１３】
図１と図２に示されるように、本発明によるヘッドライトと補助灯の照明切り換えシステムにおいて、ヘッドライトユニット１は、主ランプベース１１、近ランプ１２、遠ランプ１３、斜側ランプ１４からなり、主ランプベース１１の数量は２個で、二個の主ランプベース１１は、それぞれ、交通手段３のバンパー３１両側に装着され、且つ、主ランプベース１１内は、それぞれ、近ランプ１２と遠ランプ１３を装着し、近ランプ１２と遠ランプ１３は、上下対称に、主ランプベース１１内に設置され、近ランプ１２と遠ランプ１３は、交通手段３のウィンカー制御端３２と連接されて、明暗の状態を制御し、図１と図３に示されるように、主ランプベース１１内の左、右両端は、それぞれ、斜側ランプ１４を設置して、主ランプベース１１内に、４個の電球を有するランプを形成し、二斜側ランプ１４が、それぞれ、左、右両側に外に傾斜して設置されて、二個の斜側ランプ１４が、両方向に斜側に照射し、斜側ランプ１４は、また、交通手段３のウィンカー制御端３２と連接されて、明暗の状態を制御し、また、ウィンカー制御端３２が、補助灯ユニット２の二個ランプ２２と連接する。
【００１４】
図１に示されるように、補助灯ユニット２は、補助ベース２１とランプ２２からなり、補助ベース２１の数量は２個で、二個の補助ベース２１は、それぞれ、交通手段３車体の左、右両側に設置され、且つ、二個の補助ベース２１は、それぞれ、左、右方向に設置され、補助ベース２１内に、ランプ２２を設置して、二個のランプ２２が、それぞれ、交通手段３の車体両側を照射する。
【００１５】
本発明によると、図４と図５に示されるように、主ランプベース１１内に４個の電球を設置する使用実施において、運転者は、山や濃霧中、または、夜間運転時に、ヘッドライトユニット１の近ランプ１２、または、遠ランプ１３を利用して、光源が車両前方領域４を照明し、且つ、ウィンカー制御端３２を利用して、補助灯ユニット２の二個ランプ２２の制御を選択して、二個ランプ２２が、同時に、車右側領域５、および、車左側領域６を照明して、ヘッドライトユニット１、および、補助灯ユニット２が、交通手段３前方、右側、および、左側道路を照明する効果を達成して、夜間や濃霧中の走行の安全性を強化する。
【００１６】
図６、図７に示されるように、運転者が、右折したい、ならびに、ウィンカー制御端３２を起動して、右側ウィンカーを作動させるとき、ヘッドライトユニット１の近ランプ１２、または、遠ランプ１３がただちに閉じられて、右側方向に設置された斜側ランプ１４を起動し、斜側ランプ１４が車右側斜前方領域７を照明して、右側道路を予め照明する効果を達成し、運転者のカーブ運転の安全性を向上させ、後方の運転者に注意を促す効果もあり、斜側ランプ１４が外に傾斜する最適な実施方法は、傾斜が２０〜４５度角で、且つ、斜側ランプ１４の起動と同時に、交通手段３右側に装着された補助灯ユニット２のランプ２２が、車右側領域５を投射し、右側道路を予め照明する効果を達成し、運転者のカーブ運転の安全性を向上させ、且つ、後方の運転者に、自分が曲がりたい方向に注意してもらう効果を達成する。
【００１７】
図８は、本発明によるもうひとつの実施例を示し、ヘッドライトユニット１の近ランプ１２と遠ランプ１３が結合されて、主投射ランプ１５になり、主投射ランプ１５横に、単一個の斜側ランプ１４を設置し、単一個の斜側ランプ１４は、主投射ランプ１５下方に対応して、主ランプベース１１内に、二個の電球を有するランプを形成させ、且つ、交通手段３右側に装着された主ランプベース１１は、主ランプベース１１内の斜側ランプ１４が、右側方向に傾斜して設置されて、斜側ランプ１４が右方向に斜側照射でき、交通手段３左側に装着される主ランプベース１１は、主ランプベース１１内の斜側ランプ１４が左側方向に傾斜して設置されて、斜側ランプ１４が左方向に斜側照射でき、且つ、図９に示されるように、斜側ランプ１４内に、斜側近ランプ１４１と斜側遠ランプ１４２を有し、斜側近ランプ１４１、および、斜側遠ランプ１４２は、左右両側に対応する。
【００１８】
本発明によると、図１０、図１１に示されるように、主ランプベース１１内に二個の電球を設置する使用実施において、運転者が右折したい、ならびに、ウィンカー制御端３１を起動して、右側ウィンカーを作用させるとき、ヘッドライトユニット１の主投射ランプ１５がただちに閉じ、同時に、交通手段３右側主ランプベース１１内に装着された斜側近ランプ１４１を起動して、斜側近ランプ１４１が、車右側斜前方領域７を照明し、右側道路を予め照明する効果を達成し、このとき、図１０、図１２に示されるように、交通手段３左側主ランプベース１１内に装着される斜側遠ランプ１４２は、主投射ランプ１５の停止に伴って起動し、斜側遠ランプ１４２が、車両前方領域４を照明し、運転者の視野を拡大する。
【００１９】
本発明のさらにもうひとつの実施において、図１３、図１３ａに示されるように、補助灯ユニット２のランプ２２は、補助近ランプ２２１、および、補助遠ランプ２２２に分設され、補助遠ランプ２２２は、補助近ランプ２２１の後方に設置され、且つ、補助遠ランプ２２２は、斜後側方向に傾斜して設置される。
【００２０】
本発明のランプ２２が、補助近ランプ２２１、および、補助遠ランプ２２２に分設される使用実施において、図１４に示されるように、運転者が、路肩に停車時、ウィンカー制御端３２を利用して、補助近ランプ２２１、および、補助遠ランプ２２２の制御を選択し、補助近ランプ２２１は、車右側領域５に投射し、補助遠ランプ２２２は、車右後方領域８に投射して、運転者の視野を拡大する効果を達成する。
【００２１】
本発明ヘッドライトと補助灯の照明切り換えシステムの長所は、構造が、ウィンカー制御端の制御により、交通手段がカーブに差し掛かる前に、ヘッドライトユニットの斜側ランプ、または補助灯ユニットのランプを同時に起動して、斜側ランプの光源が、まず、ターンする領域を照らすようにして、運転者の視野を拡大し、運転者に道路状況を確実に把握させ、さらに、後方の運転者に警告する用途もあり、且つ、ウィンカー制御端の制御により、補助灯ユニットの二個のランプを同時に起動して、交通手段の右側と左側に照明を照らす効果を達成し、運転者の視野を拡大し、夜間の山中での運転の安全性を強化することであり、このような構造により、運転の安全性を高めている。
【００２２】
本発明では好ましい実施例を前述の通り開示したが、これらは決して本発明を限定するものではなく、本発明の技術思想と領域を脱しない範囲内で各種の変更等潤色を加えることができる。従って本発明の保護範囲は、特許求の範囲で指定した内容を基準として決定すべきことは明らかなことである。
【符号の説明】
【００２３】
１    ヘッドライトユニット
１１    主ランプベース
１２    近ランプ
１３    遠ランプ
１４    斜側ランプ
１４１    斜側近ランプ
１４２    斜側遠ランプ
１５    主投射ランプ
２    補助灯ユニット
２１    補助ベース
２２    ランプ
２２１    補助近ランプ
２２２    補助遠ランプ
３    交通手段
３１    バンパー
３２    ウィンカー制御端
４    車両前方領域
５    車右側領域
６    車左側領域
７    車右側斜前方區域
８    車右後方區域
【図１】
2017019472.tif 000003
【図２】
2017019472.tif 000004
【図３】
2017019472.tif 000005
【図４】
2017019472.tif 000006
【図５】
2017019472.tif 000007
【図６】
2017019472.tif 000008
【図７】
2017019472.tif 000009
【図８】
2017019472.tif 000010
【図９】
2017019472.tif 000011
【図１０】
2017019472.tif 000012
【図１１】
2017019472.tif 000013
【図１２】
2017019472.tif 000014
【図１３】
2017019472.tif 000015
【図１３ａ】
2017019472.tif 000016
【図１４】
2017019472.tif 000017